(57)【要約】  Ca、La、Sr、Ba、Fe及びCoの金属元素の原子比率を示す一般式：Ca1−x−yLax(Sry'Ba1−y')yFe2n−zCozにおいて、1−x−y、x及びyが、（x,y,1-x-y）三角座標における座標a:（0.470,0.297,0.233）、座標b:（0.300,0.392,0.308）、座標c:（0.300,0.300,0.400）、座標d:（0.400,0.200,0.400）及び座標e:（0.470,0.200,0.330）で囲まれる領域内の値であり、y'、z、及びモル比nが、0.5≦y'≦1、0.2≦z＜0.25及び5.2＜n＜5.6を満足するように原料粉末を混合する工程、この混合原料粉末を仮焼する工程、得られた仮焼体を粉砕する工程、この仮焼体粉末を成形する工程、前記成形体を焼成する工程を含み、前記混合原料粉末、仮焼体又は仮焼体粉末に0.1質量%以上1.5質量%未満のSiO2を添加するとともに、前記仮焼体又は仮焼体粉末にCaO換算で0〜2質量%のCaCO3を添加する。
2014034401.tif 000002
【特許請求の範囲】
【請求項１】
Ca、La、Sr、Ba、Fe及びCoの金属元素の原子比率を示す一般式：
Ca1−x−yLax(Sry'Ba1−y')yFe2n−zCozにおいて、
1−x−y、x及びyが、（x,y,1-x-y）三角座標において、座標a：（0.470,0.297,0.233）、座標b：（0.300,0.392,0.308）、座標c：（0.300,0.300,0.400）、座標d：（0.400,0.200,0.400）及び座標e：（0.470,0.200,0.330）で囲まれる領域内の値であり、
y'及びz、並びにモル比を表わすnが、
0.5≦y'≦1、
0.2≦z＜0.25、及び
5.2＜n＜5.6
を満足することを特徴とするフェライト仮焼体。
【請求項２】
Ca、La、Sr、Ba、Fe及びCoの金属元素の原子比率を示す一般式：
Ca1−x−yLax(Sry'Ba1−y')yFe2n−zCozにおいて、
1−x−y、x及びyが、（x,y,1-x-y）三角座標において、座標a：（0.470,0.297,0.233）、座標b：（0.300,0.392,0.308）、座標c：（0.300,0.300,0.400）、座標d：（0.400,0.200,0.400）及び座標e：（0.470,0.200,0.330）で囲まれる領域内の値であり、
y'及びz、並びにモル比を表わすnが、
0.5≦y'≦1、
0.2≦z＜0.25、及び
5.2＜n＜5.6
を満足するように原料粉末を混合し、混合原料粉末を得る原料粉末混合工程、
前記混合原料粉末を仮焼し、仮焼体を得る仮焼工程、
前記仮焼体を粉砕し、仮焼体粉末を得る粉砕工程、
前記仮焼体粉末を成形し、成形体を得る成形工程、
前記成形体を焼成し、焼結体を得る焼成工程を含み、
前記混合原料粉末、仮焼体又は仮焼体粉末に、混合原料粉末、仮焼体又は仮焼体粉末100質量%に対して0.1質量%以上1.5質量%未満のSiO2を添加すること、及び
前記仮焼体又は仮焼体粉末に、仮焼体又は仮焼体粉末100質量%に対してCaO換算で0〜2質量%のCaCO3を添加することを特徴とするフェライト焼結磁石の製造方法。
【請求項３】
Ca、La、Sr、Ba、Fe及びCoの金属元素の原子比率を示す一般式：
Ca1−x−yLax(Sry'Ba1−y')yFe2n−zCozにおいて、
1−x−y、x及びyが、（x,y,1-x-y）三角座標において、座標a：（0.470,0.297,0.233）、座標b：（0.300,0.392,0.308）、座標c：（0.300,0.300,0.400）、座標d：（0.400,0.200,0.400）及び座標e：（0.470,0.200,0.330）で囲まれる領域内の値であり、
y'及びz、並びにモル比を表わすnが、
0.5≦y'≦1、
0≦z＜0.25、及び
5.2＜n＜5.6
を満足するように原料粉末を混合し、混合原料粉末を得る原料粉末混合工程、
前記混合原料粉末を仮焼し、仮焼体を得る仮焼工程、
前記仮焼体を粉砕し、仮焼体粉末を得る粉砕工程、
前記仮焼体粉末を成形し、成形体を得る成形工程、
前記成形体を焼成し、焼結体を得る焼成工程を含み、
前記仮焼体又は仮焼体粉末に、前記zが合計で0.2≦z＜0.25となるように、Coの原料粉末を添加すること、
前記混合原料粉末、仮焼体又は仮焼体粉末に、混合原料粉末、仮焼体又は仮焼体粉末100質量%に対して0.1質量%以上1.5質量%未満のSiO2を添加すること、及び
前記仮焼体又は仮焼体粉末に、仮焼体又は仮焼体粉末100質量%に対してCaO換算で0〜2質量%のCaCO3を添加することを特徴とするフェライト焼結磁石の製造方法。
【請求項４】
請求項2又は3に記載のフェライト焼結磁石の製造方法によって得られたフェライト焼結磁石であって、
Ca、La、Sr、Ba、Fe及びCoの金属元素の原子比率を示す一般式：
Ca1−x−yLax(Sry'Ba1−y')yFe2n−zCozにおいて、
1−x−y、x及びyが、（x,y,1-x-y）三角座標において、座標a：（0.470,0.297,0.233）、座標b：（0.300,0.392,0.308）、座標f：（0.221,0.289,0.490）、座標g：（0.221,0.221,0.558）、座標h：（0.295,0.147,0.558）、座標i：（0.346, 0.147, 0.507）及び座標e：（0.470,0.200,0.330）で囲まれる領域内の値であり、
y'及びz、並びにモル比を表わすnが、
0.5≦y'≦1、
0.147≦z＜0.25及び
3.88≦n＜5.6
を満足し、
23℃における残留磁束密度Br（mT）及び固有保磁力HcJ（kA/m）が、Br+HcJ/4≧535.5の関係を満足することを特徴とするフェライト焼結磁石。
【発明の詳細な説明】
【技術分野】
【０００１】
本発明は、フェライト仮焼体、フェライト焼結磁石の製造方法及びフェライト焼結磁石に関する。
【背景技術】
【０００２】
フェライト焼結磁石は、各種モータ、発電機、スピーカ等、種々の用途に使用されている。代表的なフェライト焼結磁石として、六方晶のM型マグネトプランバイト構造を有するSrフェライト（SrFe12O19）及びBaフェライト（BaFe12O19）が知られている。これらのフェライト焼結磁石は、酸化鉄とストロンチウム（Sr）又はバリウム（Ba）の炭酸塩等とを原料とし、粉末冶金法によって比較的安価に製造される。【０００３】
近年、環境に対する配慮などから、自動車用電装部品、電気機器用部品等において、部品の小型・軽量化及び高効率化を目的として、フェライト焼結磁石の高性能化が要望されている。特に、自動車用電装部品に用いられるモータには、高い残留磁束密度Br（以下、単に「Br」という）を保持しながら、薄型化した際の強い反磁界によっても減磁しない高い保磁力HcJ（以下、単に「HcJ」という）を有するフェライト焼結磁石が要望されている。【０００４】
フェライト焼結磁石の磁石特性の向上を図るため、上記のSrフェライトにおけるSrの一部をLa等の希土類元素で置換し、Feの一部をCoで置換することにより、HcJ及びBrを向上させる方法が特開平10-149910号や特開平11-154604号によって提案されている。【０００５】
特開平10-149910号及び特開平11-154604号に記載の、Srの一部をLa等の希土類元素で置換し、Feの一部をCo等で置換したSrフェライト（以下「SrLaCoフェライト」という)は、磁石特性に優れることから、従来のSrフェライトやBaフェライトに代わり、各種用途に多用されつつあるものの、さらなる磁石特性の向上も望まれている。【０００６】
一方、フェライト焼結磁石として、上記SrフェライトやBaフェライトとともに、Caフェライトも知られている。Caフェライトは、CaO−Fe2O3又はCaO−2Fe2O3の組成式で表される構造が安定であり、Laを添加することによって六方晶フェライトを形成することが知られている。しかし、得られる磁石特性は、従来のBaフェライトの磁石特性と同程度であり、充分に高くはなかった。【０００７】
特許第3181559号は、CaフェライトのBr及びHcJの向上、並びにHcJの温度特性の改善を図るため、Caの一部をLa等の希土類元素で置換し、Feの一部をCo等で置換した、20kOe以上の異方性磁界HAを有するCaフェライト（以下「CaLaCoフェライト」という）を開示しており、この異方性磁界HAはSrフェライトに比べて10％以上高い値であると記載している。【０００８】
しかしながら、CaLaCoフェライトは、高い異方性磁界HAを有するものの、Br及びHcJはSrLaCoフェライトと同程度であり、一方でHk/HcJが非常に悪く、高いHcJと高いHk/HcJとを満足することができず、モータ等の各種用途に応用されるまでには至っていない。【０００９】
CaLaCoフェライトの磁石特性を改良すべく、種々の提案がなされている。例えば、特開2006-104050号は、各構成元素の原子比率及びモル比nの値を最適化し、かつLa及びCoを特定の比率で含有させたCaLaCoフェライトを提案しており、国際公開第2007/060757号は、Caの一部をLaとBaで置換したCaLaCoフェライトを提案しており、国際公開第2007/077811号は、Caの一部をLa及びSrで置換したCaLaCoフェライトを提案している。【００１０】
また、国際公開第2008/105449号は、国際公開第2007/060757号及び国際公開第2007/077811号よりもSr及び／又はBaが多い組成領域において、第一の微粉砕工程と、前記第一の微粉砕工程によって得られた粉末に熱処理を施す工程と、前記熱処理が施された粉末を再度粉砕する第二の微粉砕工程とからなる粉砕工程（以下「熱処理再粉砕工程」という）を含むことによって、結晶粒子の粒径を小さくするとともに磁石の密度を高め、さらに、結晶粒子の形状を制御することによって磁石特性を向上させる方法を提案している。【００１１】
しかしながら、特開2006-104050号、国際公開第2007/060757号、国際公開第2007/077811号及び国際公開第2008/105449号に記載のCaLaCoフェライトは、特許第3181559号で提案されたCaLaCoフェライトに対していずれも磁石特性は向上しているものの、Co含有量が原子比率で0.3程度必要であり、現在市場に提供されているSrLaCoフェライト焼結磁石のCo含有量（原子比率で0.2程度）に比べCoを多く使用しなければならない。Coの価格はフェライト磁石の主成分である酸化鉄の十倍から数十倍に相当する。従って、原料コストの増大が避けられず、フェライト焼結磁石の価格が上昇するという問題がある。特に、国際公開第2008/105449号は、熱処理再粉砕工程を行うため、製造工程の増加に伴うコストアップも避けられず、原料費と工程費との二重のコストアップとなり、市場における価格面の要求を満足することができない。【００１２】
フェライト焼結磁石の最大の特徴は安価であるという点にある。従って、例え高い磁石特性を有するフェライト焼結磁石であっても、価格が高いと市場では受け入れられ難い。【００１３】
上記問題に鑑み、CaLaCoフェライトにおいて、Co含有量を原子比率で0.3未満にすると、磁石特性はSrLaCoフェライトと同等程度となってしまい、高い異方性磁界HA を有するCaLaCoフェライトの特徴が失われることとなる。
【発明の概要】
【発明が解決しようとする課題】
【００１４】
本発明の目的は、高いBrと高いHcJとを両立させたフェライト焼結磁石を安価にして提供することである。
【課題を解決するための手段】
【００１５】
上記目的に鑑み鋭意研究の結果、発明者らは、CaLaCoフェライトの仮焼体組成において、モル比nが化学量論組成（n＝6）よりも大幅に小さい領域で、それぞれの元素の含有量を特定範囲とすることにより、Co含有量を従来のCaLaCoフェライト（原子比率で0.3程度）よりも少なくしても、高いBrと高いHcJとを両立させることができる最適な領域があることを見出し、この発明を完成させた。【００１６】
すなわち、本発明のフェライト仮焼体は、Ca、La、Sr、Ba、Fe及びCoの金属元素の原子比率を示す一般式：Ca1−x−yLax(Sry'Ba1−y')yFe2n−zCozにおいて、
1−x−y、x及びyが、（x,y,1-x-y）三角座標（図1参照）において、座標a：（0.470,0.297,0.233）、座標b：（0.300,0.392,0.308）、座標c：（0.300,0.300,0.400）、座標d：（0.400,0.200,0.400）及び座標e：（0.470,0.200,0.330）で囲まれる領域内の値であり、
y'及びz、並びにモル比を表わすnが、
0.5≦y'≦1、
0.2≦z＜0.25、及び
5.2＜n＜5.6
を満足することを特徴とする。【００１７】
本発明のフェライト焼結磁石の製造方法は、Ca、La、Sr、Ba、Fe及びCoの金属元素の原子比率を示す一般式：Ca1−x−yLax(Sry'Ba1−y')yFe2n−zCozにおいて、
1−x−y、x及びyが、（x,y,1-x-y）三角座標（図1参照）において、座標a：（0.470,0.297,0.233）、座標b：（0.300,0.392,0.308）、座標c：（0.300,0.300,0.400）、座標d：（0.400,0.200,0.400）及び座標e：（0.470,0.200,0.330）で囲まれる領域内の値であり、
y'及びz、並びにモル比を表わすnが、
0.5≦y'≦1、
0.2≦z＜0.25、及び
5.2＜n＜5.6
を満足するように原料粉末を混合し、混合原料粉末を得る原料粉末混合工程、
前記混合原料粉末を仮焼し、仮焼体を得る仮焼工程、
前記仮焼体を粉砕し、仮焼体粉末を得る粉砕工程、
前記仮焼体粉末を成形し、成形体を得る成形工程、
前記成形体を焼成し、焼結体を得る焼成工程を含み、
前記混合原料粉末、仮焼体又は仮焼体粉末に、混合原料粉末、仮焼体又は仮焼体粉末100質量%に対して0.1質量%以上1.5質量%未満のSiO2を添加すること、及び
前記仮焼体又は仮焼体粉末に、仮焼体又は仮焼体粉末100質量%に対してCaO換算で0〜2質量%のCaCO3を添加することを特徴とする。【００１８】
本発明のフェライト焼結磁石の他の製造方法は、Ca、La、Sr、Ba、Fe及びCoの金属元素の原子比率を示す一般式：
Ca1−x−yLax(Sry'Ba1−y')yFe2n−zCozにおいて、
1−x−y、x及びyが、（x,y,1-x-y）三角座標（図1参照）において、座標a：（0.470,0.297,0.233）、座標b：（0.300,0.392,0.308）、座標c：（0.300,0.300,0.400）、座標d：（0.400,0.200,0.400）及び座標e：（0.470,0.200,0.330）で囲まれる領域内の値であり、
、y'及びz、並びにモル比を表わすnが、
0.5≦y'≦1、
0≦z＜0.25、及び
5.2＜n＜5.6
を満足するように原料粉末を混合し、混合原料粉末を得る原料粉末混合工程、
前記混合原料粉末を仮焼し、仮焼体を得る仮焼工程、
前記仮焼体を粉砕し、仮焼体粉末を得る粉砕工程、
前記仮焼体粉末を成形し、成形体を得る成形工程、
前記成形体を焼成し、焼結体を得る焼成工程を含み、
前記仮焼体又は仮焼体粉末に、前記zが合計で0.2≦z＜0.25となるように、Coの原料粉末を添加すること、
前記混合原料粉末、仮焼体又は仮焼体粉末に、混合原料粉末、仮焼体又は仮焼体粉末100質量%に対して0.1質量%以上1.5質量%未満のSiO2を添加すること、及び
前記仮焼体又は仮焼体粉末に、仮焼体又は仮焼体粉末100質量%に対してCaO換算で0〜2質量%のCaCO3を添加することを特徴とする。【００１９】
本発明のフェライト焼結磁石は、前記フェライト焼結磁石の製造方法によって得られたフェライト焼結磁石であって、
Ca、La、Sr、Ba、Fe及びCoの金属元素の原子比率を示す一般式：
Ca1−x−yLax(Sry'Ba1−y')yFe2n−zCozにおいて、
1−x−y、x及びyが、（x,y,1-x-y）三角座標（図2参照）において、座標a：（0.470,0.297,0.233）、座標b：（0.300,0.392,0.308）、座標f：（0.221,0.289,0.490）、座標g：（0.221,0.221,0.558）、座標h：（0.295,0.147,0.558）、座標i：（0.346, 0.147, 0.507）及び座標e：（0.470,0.200,0.330）で囲まれる領域内の値であり、
y'及びz、並びにモル比を表わすnが、
0.5≦y'≦1、
0.147≦z＜0.25及び
3.88≦n＜5.6
を満足し、
23℃における残留磁束密度Br（mT）及び固有保磁力HcJ（kA/m）が、Br+HcJ/4≧535.5の関係を満足することを特徴とする。
【発明の効果】
【００２０】
本発明のフェライト仮焼体を用いることにより、高いBrと高いHcJとを両立させたフェライト焼結磁石を提供することができる。また、従来のCaLaCoフェライトよりもCo含有量を少なくすることができるため、高いBrと高いHcJとを両立させたフェライト焼結磁石を安価にして提供することができる。【００２１】
本発明によるフェライト焼結磁石は、23℃における残留磁束密度Br（mT）及び固有保磁力HcJ（kA/m）が、Br+HcJ/4≧535.5の関係を満足する高いBrと高いHcJを有するため、薄型化にも十分対応できる。【００２２】
本発明によるフェライト焼結磁石を使用することにより、小型・軽量化、高能率化された各種モータ、発電機、スピーカ等の自動車用電装部品、電気機器用部品等を提供することができる。
【図面の簡単な説明】
【００２３】
【図１】本発明の仮焼体の組成範囲を三角座標中で示すグラフである。
【図２】本発明のフェライト焼結磁石の組成範囲を三角座標中で示すグラフである。
【図３】実施例1の試料1〜6のフェライト焼結磁石の仮焼体におけるモル比nの値とBr及びHcJとの関係を示すグラフである。
【図４】実施例1の試料7〜10のフェライト焼結磁石の仮焼体におけるモル比nの値とBr及びHcJとの関係を示すグラフである。
【図５】実施例1の試料11〜18のフェライト焼結磁石の仮焼体におけるモル比nの値とBr及びHcJとの関係を示すグラフである。
【図６】実施例1のフェライト焼結磁石のHcJとBrとの関係を示すグラフである。
【図７】実施例2の各試料の仮焼体組成と、本発明の仮焼体の組成範囲とを三角座標で示すグラフである。
【図８】実施例2のフェライト焼結磁石のHcJとBrとの関係を示すグラフである。
【図９】実施例3のフェライト焼結磁石の仮焼体におけるy'とBr及びHcJとの関係を示すグラフである。
【図１０】実施例3のフェライト焼結磁石のHcJとBrとの関係を示すグラフである。
【図１１】実施例4のフェライト焼結磁石の仮焼体におけるzとBr及びHcJとの関係を示すグラフである。
【図１２】実施例4のフェライト焼結磁石の仮焼体におけるzとHk/HcJとの関係を示すグラフである。
【図１３】実施例4のフェライト焼結磁石のHcJとBrとの関係を示すグラフである。
【図１４】実施例5のフェライト焼結磁石のHcJとBrとの関係を示すグラフである。
【発明を実施するための形態】
【００２４】
[1]フェライト仮焼体
本発明によるフェライト仮焼体は、Ca、La、Sr、Ba、Fe及びCoの金属元素の原子比率を示す一般式：Ca1−x−yLax(Sry'Ba1−y')yFe2n−zCozにおいて、
1−x−y、x及びyが、（x,y,1-x-y）三角座標（図1参照）において、座標a：（0.470,0.297,0.233）、座標b：（0.300,0.392,0.308）、座標c：（0.300,0.300,0.400）、座標d：（0.400,0.200,0.400）及び座標e：（0.470,0.200,0.330）で囲まれる領域（領域I）内の値であり、
y'及びz、並びにモル比を表わすnが、
0.5≦y'≦1、
0.2≦z＜0.25、及び
5.2＜n＜5.6、
を満足することを特徴とする。
【００２５】
本発明のフェライト仮焼体を用いてフェライト焼結磁石を製造することにより、高いBrと高いHcJとを両立させたフェライト焼結磁石を安価にして提供することができる。
【００２６】
本発明のフェライト仮焼体は、六方晶のM型マグネトプランバイト構造を有するフェライト相を主相とする。一般に、その磁性材料の特性（物性、磁石特性など）を決定づけている化合物が「主相」と定義される。本発明のフェライト仮焼体における主相、すなわち、六方晶のM型マグネトプランバイト構造を有するフェライト相も、本発明のフェライト仮焼体の物性などの基本部分を決定づけている。
【００２７】
「六方晶のM型マグネトプランバイト構造を有する」とは、フェライト仮焼体のX線回折を一般的な条件で測定した場合に、六方晶のM型マグネトプランバイト構造のX線回折パターンが主として観察されることをいう。
【００２８】
図1に示す（x,y,1-x-y）三角座標は、Ca含有比率(1-x-y)、La含有比率(x)及び(Sr+Ba)含有比率(y)［ただしx,y,1-x-yの合計は１である。］を正三角形の各辺を軸としてプロットしたものであり、三角座標の底辺がCa含有比率(1-x-y)、右斜辺がLa含有比率(x)、及び左斜辺が(Sr+Ba)含有比率(y)を示す軸である。三角座標中の任意の点（α,β,γ）は、底辺からの距離α、右斜辺からの距離β及び左斜辺からの距離γの点を示す。
【００２９】
以下に、上記各元素の組成の限定理由を説明する。
【００３０】
1-x-yはCaの含有量であり、1−x−y、x及びyが、前記領域I内の値を取るとき、1−x−yの範囲は0.23≦1-x-y≦0.4である。1-x-y が0.23未満及び0.4を超えるとオルソフェライト相やペロブスカイト相などの異相が生成し易くなり磁石特性が低下するため好ましくない。
【００３１】
xはLaの含有量であり、1−x−y、x及びyが、前記領域I内の値を取るとき、xの範囲は0.3≦x≦0.47である。xが0.3未満ではスピネルフェライト相などの異相が生成し易くなり磁石特性が低下するため好ましくない。xが0.47を超えるとオルソフェライト相やヘマタイト相などの異相が生成し易くなり磁石特性が低下するため好ましくない。
【００３２】
yはSr及びBaの合計含有量であり、1−x−y、x及びyが、前記領域I内の値を取るとき、yの範囲は0.2≦y≦0.4である。yが0.2未満及び0.4を超えるとオルソフェライト相、SrFeO3、BaFe2O4等の異相が生成し易くなり磁石特性が低下するため好ましくない。
【００３３】
y'はSr及びBaの合計に対するSrの含有比率を示し、0.5≦y'≦1である。y'が0.5未満では磁石特性、特にHcJが低下するため好ましくない。
【００３４】
zはCoの含有量であり、0.2≦z＜0.25である。Coは高価であるため原料コストを抑えるためにも極力少ない方が好ましいが、zが0.2未満では磁石特性、特にHcJが低下するため好ましくない。zが0.25以上になるとスピネルフェライト相などの異相が生成し易くなり、磁石特性、特に減磁曲線の角型性が大幅に低下するため好ましくない。
【００３５】
nは（Fe＋Co）と（Ca＋La＋Sr+Ba）とのモル比を反映する値で、2n＝（Fe+Co）/（Ca+La+A）で表される。モル比nは5.2＜n＜5.6である。nが5.2以下及び5.6以上では磁石特性が低下するため好ましくない。
【００３６】
前記の組成は、金属元素の原子比率で示したが、酸素（O）を含む組成は、
一般式：Ca1−x−yLax(Sry'Ba1−y')yFe2n−zCoz Oαにおいて、
1−x−y、x及びyが、（x,y,1-x-y）三角座標（図1参照）において、座標a：（0.470,0.297,0.233）、座標b：（0.300,0.392,0.308）、座標c：（0.300,0.300,0.400）、座標d：（0.400,0.200,0.400）及び座標e：（0.470,0.200,0.330）で囲まれる領域（領域I）内の値であり、
y'及びz、並びにモル比を表わすnが、
0.5≦y'≦1、
0.2≦z＜0.25、及び
5.2＜n＜5.6
を満たし、LaとFeが3価でCoが2価であり、x＝zでかつn＝6の時の化学量論組成比を示した場合はα＝19である。）で表される。
【００３７】
前記酸素（O）を含めたフェライト仮焼体の組成において、酸素のモル数は、Fe及びCoの価数、n値などによって異なってくる。また、酸素の空孔（ベイカンシー）、フェライト相におけるFeの価数の変化、Coの価数の変化等により金属元素に対する酸素の比率が変化する。従って、実際の酸素のモル数αは19からずれる場合がある。そのため、本発明においては、最も組成が特定し易い金属元素の原子比率で組成を表記している。
【００３８】
[2]フェライト焼結磁石の製造方法
本発明のフェライト焼結磁石の製造方法は、Ca、La、Sr、Ba、Fe及びCoの金属元素の原子比率を示す一般式：Ca1−x−yLax(Sry'Ba1−y')yFe2n−zCozにおいて、
1−x−y、x及びyが、（x,y,1-x-y）三角座標（図1参照）において、座標a：（0.470,0.297,0.233）、座標b：（0.300,0.392,0.308）、座標c：（0.300,0.300,0.400）、座標d：（0.400,0.200,0.400）及び座標e：（0.470,0.200,0.330）で囲まれる領域（領域I）内の値であり、
y'及びz、並びにモル比を表わすnが、
0.5≦y'≦1、
0.2≦z＜0.25、及び
5.2＜n＜5.6
を満足するように原料粉末を混合し、混合原料粉末を得る原料粉末混合工程、
前記混合原料粉末を仮焼し、仮焼体を得る仮焼工程、
前記仮焼体を粉砕し、仮焼体粉末を得る粉砕工程、
前記仮焼体粉末を成形し、成形体を得る成形工程、
前記成形体を焼成し、焼結体を得る焼成工程を含み、
前記混合原料粉末、仮焼体又は仮焼体粉末に、混合原料粉末、仮焼体又は仮焼体粉末100質量%に対して0.1質量%以上1.5質量%未満のSiO2を添加すること、及び
前記仮焼体又は仮焼体粉末に、仮焼体又は仮焼体粉末100質量%に対してCaO換算で0〜2質量%のCaCO3を添加することを特徴とする。この方法は、仮焼工程前に、全ての原料粉末（焼結助剤として添加するSiO2及びCaCO3を除く）を全量添加する方法（以下「前添加法」という）である。
【００３９】
また、本発明のフェライト焼結磁石の他の製造方法は、Ca、La、Sr、Ba、Fe及びCoの金属元素の原子比率を示す一般式：
Ca1−x−yLax(Sry'Ba1−y')yFe2n−zCozにおいて、
1−x−y、x及びyが、（x,y,1-x-y）三角座標（図1参照）において、座標a：（0.470,0.297,0.233）、座標b：（0.300,0.392,0.308）、座標c：（0.300,0.300,0.400）、座標d：（0.400,0.200,0.400）及び座標e：（0.470,0.200,0.330）で囲まれる領域（領域I）内の値であり、
y'及びz、並びにモル比を表わすnが、
0.5≦y'≦1、
0≦z＜0.25、及び
5.2＜n＜5.6
を満足するように原料粉末を混合し、混合原料粉末を得る原料粉末混合工程、
前記混合原料粉末を仮焼し、仮焼体を得る仮焼工程、
前記仮焼体を粉砕し、仮焼体粉末を得る粉砕工程、
前記仮焼体粉末を成形し、成形体を得る成形工程、
前記成形体を焼成し、焼結体を得る焼成工程を含み、
前記仮焼体又は仮焼体粉末に、前記zが合計で0.2≦z＜0.25となるように、Coの原料粉末を添加すること、
前記混合原料粉末、仮焼体又は仮焼体粉末に、混合原料粉末、仮焼体又は仮焼体粉末100質量%に対して0.1質量%以上1.5質量%未満のSiO2を添加すること、及び
前記仮焼体又は仮焼体粉末に、仮焼体又は仮焼体粉末100質量%に対してCaO換算で0〜2質量%のCaCO3を添加することを特徴とする。この方法は、仮焼工程前に、Coの原料粉末を除く全ての原料粉末（焼結助剤として添加するSiO2及びCaCO3を除く）を全量添加するか、又はCoの原料粉末の一部とCoを除く全ての原料粉末（焼結助剤として添加するSiO2及びCaCO3を除く）の全量を添加し、仮焼工程後、成形工程前において、前記仮焼体又は仮焼体粉末に、前記zが合計で0.2≦z＜0.25となるように、Coの原料の全部又は残りの一部を添加する方法（以下「後添加法」という）である。
【００４０】
本発明において、前記前添加法及び前記後添加法のいずれによっても、後述するフェライト焼結磁石を得ることができる。各工程について以下に説明する。
【００４１】
(a)原料粉末混合工程
Ca、La、Sr、Ba、Fe及びCoの金属元素の原子比率を示す一般式：
Ca1−x−yLax(Sry'Ba1−y')yFe2n−zCozにおいて、
1−x−y、x及びyが、（x,y,1-x-y）三角座標（図1参照）において、前記領域I内の値であり、
y'及びz、並びにモル比を表わすnが、
0.5≦y'≦1、
0.2≦z＜0.25、及び
5.2＜n＜5.6
で表される組成を満足するようにそれぞれの金属を含有する原料粉末を準備する。
【００４２】
原料粉末は、価数にかかわらず、それぞれの金属の酸化物、炭酸塩、水酸化物、硝酸塩、塩化物等を使用することができる。原料粉末を溶解した溶液であってもよい。Caの化合物としては、Caの炭酸塩、酸化物、塩化物等が挙げられる。Laの化合物としては、La2O3等の酸化物、La(OH)3等の水酸化物、La2(CO3)3・8H2O等の炭酸塩等が挙げられる。A元素の化合物としては、Ba及び/又はSrの炭酸塩、酸化物、塩化物等が挙げられる。鉄の化合物としては、酸化鉄、水酸化鉄、塩化鉄、ミルスケール等が挙げられる。Coの化合物としては、CoO、Co3O4等の酸化物、CoOOH、Co(OH)2、Co3O4・m1H2O（m1は正の数である）等の水酸化物、CoCO3等の炭酸塩、及びm2CoCO3・m3Co(OH)2・m4H2O等の塩基性炭酸塩（m2、m3、m4は正の数である）が挙げられる。
【００４３】
前記の通り、Coの原料粉末（例えばCo3O4粉末）は、原料粉末混合工程で（仮焼工程前に）全量を添加してもよいし（前添加法）、Coの原料粉末の一部又は全部を、仮焼工程後、成形工程前に添加してもよい（後添加法）。
【００４４】
仮焼時の反応促進のため、必要に応じてB2O3、H3BO3等のBを含む化合物を1質量%程度まで添加しても良い。特にH3BO3の添加は、HcJ及びBrのさらなる向上に有効である。H3BO3の添加量は、0.3質量%以下であるのが好ましく、0.2質量%程度が最も好ましい。H3BO3の添加量が0.1質量%よりも少ないとBrの向上効果が小さく、0.3質量%よりも多いとBrが低下する。またH3BO3は、焼結時に結晶粒の形状やサイズを制御する効果も有するため、仮焼工程後（微粉砕前や焼結前）に添加してもよく、仮焼工程前及び仮焼工程後の両方で添加してもよい。
【００４５】
準備したそれぞれの原料粉末を混合し、混合原料粉末とする。原料粉末の混合は、湿式及び乾式のいずれで行ってもよい。スチールボール等の媒体とともに撹拌すると原料粉末をより均一に混合することができる。湿式の場合は、溶媒に水を用いるのが好ましい。原料粉末の分散性を高める目的でポリカルボン酸アンモニウム、グルコン酸カルシウム等の公知の分散剤を用いてもよい。混合した原料スラリーはそのまま仮焼してもよいし、原料スラリーを脱水した後、仮焼してもよい。
【００４６】
(b)仮焼工程
乾式混合又は湿式混合することによって得られた混合原料粉末は、電気炉、ガス炉等を用いて加熱することで、固相反応により、六方晶のM型マグネトプランバイト構造のフェライト化合物を形成する。このプロセスを「仮焼」と呼び、得られた化合物を「仮焼体」と呼ぶ。
【００４７】
仮焼工程は、酸素濃度が5%以上の雰囲気中で行うのが好ましい。酸素濃度が5%未満であると、異常粒成長、異相の生成等を招く。より好ましい酸素濃度は20%以上である。
【００４８】
仮焼工程では、温度の上昇とともにフェライト相が形成される固相反応が進行する。仮焼温度が1100℃未満では、未反応のヘマタイト（酸化鉄）が残存するため磁石特性が低くなる。一方、仮焼温度が1450℃を超えると結晶粒が成長し過ぎるため、粉砕工程において粉砕に多大な時間を要することがある。従って、仮焼温度は1100〜1450℃であるのが好ましく、1200〜1350℃であるのがより好ましい。仮焼時間は0.5〜5時間であるのが好ましい。
【００４９】
仮焼前にH3BO3を添加した場合は、フェライト化反応が促進されるため、1100℃〜1300℃で仮焼を行うことができる。
【００５０】
(c)焼結助剤の添加
焼結助剤として、SiO2、CaCO3を添加する。SiO2は、前記原料粉末混合工程以降、成形工程前において、前記混合原料粉末、仮焼体又は仮焼体粉末に、混合原料粉末、仮焼体又は仮焼体粉末100質量%に対して0.1質量%以上1.5質量%未満添加する。すなわち、混合原料粉末に、混合原料粉末100質量%に対して0.1質量%以上1.5質量%未満添加する（添加パターン1）、仮焼体に、仮焼体100質量%に対して0.1質量%以上1.5質量%未満添加する（添加パターン2）、仮焼体粉末に、仮焼体粉末100質量%に対して0.1質量%以上1.5質量%未満添加する（添加パターン3）、のいずれかの添加パターンか、あるいはそれらのパターンの組み合わせによってSiO2を添加する。前記パターンを組み合わせて添加する場合は、各パターンによる添加量の合計が0.1質量%以上1.5質量%未満になるように添加する。
【００５１】
CaCO3は、前記仮焼工程後、成形工程前において、仮焼体又は仮焼体粉末に、仮焼体又は仮焼体粉末100質量%に対してCaO換算で0〜2質量%添加する。すなわち、仮焼体に、仮焼体100質量%に対して0〜2質量%添加する（添加パターン4）、仮焼体粉末に、仮焼体粉末100質量%に対して0〜2質量%添加する（添加パターン5）、のいずれかの添加パターンか、あるいはパターン4と5の両方でCaCO3を添加する。前記パターン4と5の両方で添加する場合は、パターン4と5における添加量の合計が0〜2質量%になるように添加する。
【００５２】
前記のSiO2を混合原料粉末に添加する場合（前記添加パターン1の場合）は、混合原料粉末調整前、調整中又は調整後のいずれのタイミングで添加しても良く、調整後に添加した場合は、添加後に混合原料粉末をさらに混合する。SiO2又はCaCO3を仮焼体へ添加する場合（前記パターン2又は4の場合）又は仮焼体粉末に添加する場合（前記パターン3又は5の場合）は、仮焼工程によって得られた仮焼体に焼結助剤を添加した後、粉砕工程を実施する、粉砕工程の途中で焼結助剤を添加する、又は粉砕工程後の仮焼体粉末に焼結助剤を添加、混合した後成形工程を実施する、などの方法を採用することができる。
【００５３】
SiO2の添加量が1.5質量%以上になるとHcJが低下するとともに、Br及びHk/HcJも低下するため好ましくない。なお、SiO2は仮焼体に対して添加するのが最も好ましいが、上記の通り、全添加量のうちの一部を仮焼工程前に（原料粉末混合工程で）添加することもできる。仮焼工程前に添加することにより、仮焼時の結晶粒のサイズ制御を行うことができる。
【００５４】
CaCO3は、仮焼体100質量%に対してCaO換算で0〜2質量%添加する。CaCO3の添加によってBr及びHcJを向上させることができる。CaCO3の添加量が2質量%を超えるとBr及びHk/HcJが低下するため好ましくない。なお、本発明において、CaCO3の添加量は全てCaO換算で表記する。CaO換算での添加量からCaCO3の添加量は、式：
（CaCO3の分子量×CaO換算での添加量）／CaOの分子量
によって求めることができる。
例えば、CaO換算で1.5質量%のCaCO3を添加する場合、
｛（40.08[Caの原子量]＋12.01[Cの原子量]＋48.00[Oの原子量×3]＝100.09[CaCO3の分子量]）×1.5質量%[CaO換算での添加量]｝／（40.08[Caの原子量] ＋16.00[Oの原子量]＝56.08[CaOの分子量]）＝2.677質量%[CaCO3の添加量]、となる。
【００５５】
本発明によるCaLaCoフェライトにおいては、主相成分としてCaが含まれているため、焼結助剤としてCaCO3を添加しなくても（SiO2の添加だけで）、液相が生成し、焼結することができる。CaCO3は添加しなくても本発明を実施することは可能であるが、HcJの低下を防止するためにCaCO3を添加することが好ましい。
【００５６】
上述したSiO2及びCaCO3の他に、仮焼工程後、後述する成形工程前において、磁石特性向上のためにCr2O3、Al2O3等を添加することもできる。これらの添加量は、それぞれ5質量%以下であるのが好ましい。
【００５７】
(d)粉砕工程
仮焼体は、振動ミル、ボールミル、アトライター等によって粉砕し、仮焼体粉末とする。仮焼体粉末の平均粒度は0.4〜0.8μm程度（空気透過法）にするのが好ましい。粉砕工程は、乾式粉砕及び湿式粉砕のいずれもよいが、双方を組み合わせて行うのが好ましい。
【００５８】
湿式粉砕は、分散媒として水及び／又は非水系溶剤（アセトン、エタノール、キシレン等の有機溶剤）を用いて行う。湿式粉砕により、分散媒と仮焼体粉末とが混合されたスラリーが生成される。スラリーには公知の分散剤及び／又は界面活性剤を固形分比率で0.2〜2質量%を添加するのが好ましい。湿式粉砕後は、スラリーを濃縮及び混練するのが好ましい。
【００５９】
国際公開第2008/105449号においては、粉砕工程として、第一の微粉砕工程と、前記第一の微粉砕工程によって得られた粉末に熱処理を施す工程と、前記熱処理が施された粉末を再度粉砕する第二の微粉砕工程とからなる熱処理再粉砕工程を行うことによって、結晶粒子の粒径を小さくするとともに磁石の密度を高め、さらに、結晶粒子の形状を制御することによって磁石特性を向上させている。しかし、本発明においては、前記組成からなるフェライト仮焼体を、前記方法によってフェライト焼結磁石を製造することにより、熱処理再粉砕工程を行わなくとも高いBrと高いHcJとを両立させたフェライト焼結磁石を提供することができる。
【００６０】
(e)成形工程
粉砕工程後のスラリーは、分散媒を除去しながら磁界中又は無磁界中でプレス成形する。磁界中でプレス成形することにより、粉末粒子の結晶方位を整列（配向）させることができ、磁石特性を飛躍的に向上させることができる。さらに、配向を向上させるために、分散剤及び潤滑剤をそれぞれ0.01〜1質量%添加しても良い。また成形前にスラリーを必要に応じて濃縮してもよい。濃縮は遠心分離、フィルタープレス等により行うのが好ましい。
【００６１】
(f)焼成工程
プレス成形により得られた成形体は、必要に応じて脱脂した後、焼成（焼結）する。焼成は、電気炉、ガス炉等を用いて行う。焼成は、酸素濃度が10%以上の雰囲気中で行うのが好ましい。酸素濃度が10%未満であると、異常粒成長、異相の生成等を招き、磁石特性が劣化する。酸素濃度は、より好ましくは20%以上であり、最も好ましくは100%である。焼成温度は、1150〜1250℃が好ましい。焼成時間は、0.5〜2時間が好ましい。焼成工程によって得られる焼結磁石の平均結晶粒径は約0.5〜2μmである。
【００６２】
焼成工程の後は、加工工程、洗浄工程、検査工程等の公知の製造プロセスを経て、最終的にフェライト焼結磁石を製造する。
【００６３】
[3]フェライト焼結磁石
本発明のフェライト焼結磁石は、前記フェライト焼結磁石の製造方法によって得られたフェライト焼結磁石であって、
Ca、La、Sr、Ba、Fe及びCoの金属元素の原子比率を示す一般式：
Ca1−x−yLax(Sry'Ba1−y')yFe2n−zCozにおいて、
1−x−y、x及びyが、（x,y,1-x-y）三角座標（図2参照）において、座標a：（0.470,0.297,0.233）、座標b：（0.300,0.392,0.308）、座標f：（0.221,0.289,0.490）、座標g：（0.221,0.221,0.558）、座標h：（0.295,0.147,0.558）、座標i：（0.346, 0.147, 0.507）及び座標e：（0.470,0.200,0.330）で囲まれる領域（領域II）内の値であり、
y'及びz、並びにモル比を表わすnが、
0.5≦y'≦1、
0.147≦z＜0.25及び
3.88≦n＜5.6
を満足し、
23℃における残留磁束密度Br（mT）及び固有保磁力HcJ（kA/m）が、Br+HcJ/4≧535.5の関係を満足することを特徴とする。なお図2に示す三角座標は、組成範囲を示す領域が異なる以外図1と同様のものである。
【００６４】
本発明のフェライト焼結磁石は、六方晶のM型マグネトプランバイト構造を有するフェライト相を主相とする。一般に、磁性材料、特に焼結磁石は、複数の化合物から構成されており、その磁性材料の特性（物性、磁石特性など）を決定づけている化合物が「主相」と定義される。本発明における主相、すなわち、六方晶のM型マグネトプランバイト構造を有するフェライト相も、本発明のフェライト焼結磁石の物性、磁石特性などの基本部分を決定づけている。
【００６５】
「六方晶のM型マグネトプランバイト構造を有する」とは、フェライト焼結磁石のX線回折を一般的な条件で測定した場合に、六方晶のM型マグネトプランバイト構造のX線回折パターンが主として観察されることをいう。
【００６６】
本発明のフェライト焼結磁石には、Siを含む粒界相を有している。本発明においては、前記のフェライト焼結磁石の製造方法に示す通り、製造過程において、仮焼体に、仮焼体100質量%に対して、0.1質量%以上1.5質量%未満のSiO2及びCaO換算で0〜2質量%のCaCO3が添加される。それらのSiO2やCaCO3が主として粒界相を形成している。従って、粒界相にはSiが含まれる。前記粒界相は、X線回折パターンで観察することが困難であるため、透過電子顕微鏡等で確認するのが好ましい。
【００６７】
本発明において、粒界相とは、当業者において「2粒子粒界相」などと言われ、フェライト焼結磁石の任意の断面を観察した場合に、主相と主相の粒界に存在する線状に見える粒界相、及び当業者において「3重点粒界相」などと言われ、フェライト焼結磁石の任意の断面を観察した場合、三つ以上の主相の間に存在するほぼ三角形、ほぼ多角形又は不定形などに見える粒界相の両方のことを言う。
【００６８】
本発明のフェライト焼結磁石は、前記主相、粒界相の他、主相よりもLaの原子比率が高い第3相が存在する場合がある。第3相とは、前記主相を第1相、前記粒界相を第2相とした場合における「3つ目の相」という意味であって、構成比率や析出順序などを定義したものではない。第3相は本発明においては必須構成相ではなく、第3相の有無により本発明の構成及び効果が損なわれるものではない。また、本発明のフェライト焼結磁石には、X線回折等により極少量（5質量%以下程度）観察される異相（スピネル相等）や不純物相の存在は許容される。X線回折からの異相の定量にはリートベルト解析のような手法を用いることができる。
【００６９】
本発明によるフェライト焼結磁石は、23℃における残留磁束密度Br（mT）及び固有保磁力HcJ（kA/m）が、Br+HcJ/4≧535.5の関係を満足する高いBrと高いHcJを有している。従って、近年、特に自動車用電装部品に用いられるモータに要求されるフェライト焼結磁石の薄型化にも十分対応できる。
【００７０】
実施例
本発明を実施例によりさらに詳細に説明するが、本発明はそれらに限定されるものではない。
【００７１】
実施例1
金属元素の原子比率を示す組成式Ca1-x-yLax(Sry'Ba1-y')yFe2n-zCozにおいて、表1に示す組成となるように、CaCO3粉末、La(OH)3粉末、SrCO3粉末、BaCO3粉末、Fe2O3粉末及びCo3O4粉末を配合し、配合後の粉末の合計100質量%に対してH3BO3粉末を0.1質量%添加し混合原料粉末を準備した。前記混合原料粉末を湿式ボールミルで4時間混合し、乾燥して整粒した後、大気中において1250℃で3時間仮焼し、得られた仮焼体をハンマーミルで粗粉砕して粗粉砕粉を得た。なお表１に示す組成は仮焼体の組成を表す。
【００７２】
前記粗粉砕粉100質量%に対して、CaCO3粉末をCaO換算で0.7質量%及びSiO2粉末を0.6質量%添加し、水を分散媒とした湿式ボールミルで、空気透過法による平均粒度が0.6μmになるまで微粉砕した。得られた微粉砕スラリーを、分散媒を除去しながら加圧方向と磁界方向とが平行になるように約1.3 Tの磁界をかけながら約50 MPaの圧力で成形した。得られた成形体を大気中で、約1200℃で1時間焼成し、焼結磁石を得た。
【００７３】
得られた焼結磁石のBrとHcJの測定結果を表1及び図3〜図6に示す。表1において試料番号の横に*印を付したものは比較例である。また、試料No.11〜18は国際公開第2008/105449号の実施例に記載された試料No.13の組成に基づく比較例である。なお、前記試料No.13の組成は国際公開第2008/105449号の実施例における多くの試料（試料No.29〜40、51〜58、64〜79、82、85〜92、93〜94、101〜102、103〜104、131〜136、137〜139、146〜157）のベースとなっているため、国際公開第2008/105449号の代表的組成として比較例に用いた。
【００７４】
表1
2014034401.tif 000003
（注）*印を付したものは比較例である。
【００７５】
表1（続き）
2014034401.tif 000004
（注）*印を付したものは比較例である。
【００７６】
図3、図４及び図5は、それぞれ試料1〜6、試料7〜10及び試料11〜18のフェライト焼結磁石の、仮焼体におけるモル比nの値とBr及びHcJとの関係を示す。各図中、四角のプロットがBrを、三角のプロットがHcJを示す。なお、試料1〜6（図3）は、仮焼体の（x,y,1-x-y）組成が図1に示す（x,y,1-x-y）三角座標中に記載した領域Iの範囲内［（x,y,1-x-y）＝（0.385,0.340,0.275）］にある試料であり、試料7〜10（図4）は、同様に前記領域Iの範囲内［（x,y,1-x-y）＝（0.385,0.240,0.375）］にある試料であるが、試料11〜18は、前記領域Iの範囲外［（x,y,1-x-y）＝（0.390,0.410,0.200）］にある試料である。
【００７７】
図6は試料No.1〜18のHcJとBrとの関係を示し、図中の点線はBr+HcJ/4＝535.5のラインであり、当該ラインより右上の領域がBr+HcJ/4＝535.5以上、左下の領域がBr+HcJ/4＝535.5以下であることを示す。四角のプロットが試料No.1〜6［（x,y,1-x-y）＝（0.385,0.340,0.275）]、菱形のプロットが試料No.7〜10［（x,y,1-x-y）＝（0.385,0.240,0.375）］、円形のプロットが試料No.11〜18［（x,y,1-x-y）＝（0.390,0.410,0.200）］である。本発明によるフェライト焼結磁石（試料No.2〜4及び8〜10）を黒塗りプロットで示した。
【００７８】
表1及び図3の通り、図１に記載した領域Iの範囲内にある（x,y,1-x-y）＝（0.385,0.340,0.275）では、nが5.2以下のときHcJが低く、nが5.6以上のときBrが低下したが、5.2＜n＜5.6で高いBrと高いHcJを両立したフェライト焼結磁石が得られることが分かる。また、表1及び図4の通り、図１に記載した領域Iの範囲内にある（x,y,1-x-y）＝（0.385,0.240,0.375）でも同様に5.3≦n≦5.5で高いBrと高いHcJを両立したフェライト焼結磁石が得られることが分かる。これらの結果より、本発明の仮焼体におけるモル比nを、5.2＜n＜5.6に限定した。一方、表1及び図5の通り、（x,y,1-x-y）＝（0.390,0.410,0.200）のように図１に記載した領域Iの範囲外になると、HcJの最大値が低下するとともに、HcJの最大値が得られるnの値及びBrが急激に低下するnの値が大きく（n≧5.6）なる傾向にあることが分かる。
【００７９】
すなわち、国際公開第2008/105449号の実施例における代表的組成は（x,y,1-x-y）＝（0.390,0.410,0.200）であるため、HcJの最大値が得られるモル比nの範囲はn≧5.6となる。この結果は、国際公開第2008/105449号の表5及び表7に示される結果と一致している。国際公開第2008/105449号の表5における試料No.51〜58は、試料No.13の組成をベースとして、12zの値（本発明における「2n」に相当）を変化させたものであるが、国際公開第2008/105449号の表7の通り、HcJの最大値が得られているのは試料No.13、つまり12z＝12.00（n＝6）の時であり、また、Brの最大値が得られているのは試料No.54、つまり12z＝11.8（n＝5.9）の時である。なお、国際公開第2008/105449号の実施例においては、本実施例によるBr及びHcJよりも高い値が得られているが、これは、本実施例と国際公開第2008/105449号に記載された実施例とは製造工程における条件などが異なるためであり、双方のBr及びHcJの値を単純に比較することはできない。
【００８０】
また、表1及び図6の通り、仮焼体における1−x−y、x及びyの値が、図1に示す領域Iの範囲内にあり、5.2＜n＜5.6とした本発明の仮焼体を用いたフェライト焼結磁石（図中、黒塗りのプロット）は、全てBr+HcJ/4＝535.5以上となっており、高いBrと高いHcJを両立した優れた磁石特性を有していることが分かる。なお、国際公開第2008/105449号の実施例に記載された組成に基づく比較例である試料No.11〜18のうち、試料No.14と15はBr+HcJ/4＝535.5以上となっている。しかしながら、試料No.11〜18はいずれもz＝0.3（Co含有量が0.3）であり、本発明の実施例（z＝0.24（Co含有量が0.24））よりもCo含有量が多い。従って、本発明の実施例と同等の優れた磁石特性は得られるもののフェライト焼結磁石の価格が高くなる。このように、本発明の仮焼体を用いることにより、高いBrと高いHcJを両立した優れた磁石特性を有するフェライト焼結磁石を安価にして提供することができる。
【００８１】
以上の通り、本発明においては、仮焼体における1−x−y、x及びyの値が、図1に示す領域Iの範囲内にあり、5.2＜n＜5.6で高いBrと高いHcJを両立したフェライト焼結磁石が得られる。一方、国際公開第2008/105449号ではn≧5.6で高い磁石特性を有するフェライト焼結磁石が得られており、本発明とは異なる傾向を示していることが分かる。
【００８２】
実施例2
金属元素の原子比率を示す組成式Ca1−x−yLax(Sry'Ba1−y')yFe2n−zCozにおいて、表2に示す組成となるように原料粉末を配合した以外は実施例1と同様にして焼結磁石を得た。試料No.3、9及び19〜37の各仮焼体組成と、本発明で規定する仮焼体の組成範囲とを図7に三角座標で示す。得られた焼結磁石のBrとHcJの測定結果を表2及び図8に示す。表2において試料番号の横に*印を付したものは比較例である。
【００８３】
表2
2014034401.tif 000005
（注）*印を付したものは比較例である。
【００８４】
表2（続き）
2014034401.tif 000006
（注）*印を付したものは比較例である。
【００８５】
図7は、仮焼体における1−x−y、x及びyの値を（x,y,1-x-y）三角座標中に示したものであり、座標a：（0.470,0.297,0.233）、座標b：（0.300,0.392,0.308）、座標c：（0.300,0.300,0.400）、座標d：（0.400,0.200,0.400）及び座標e：（0.470,0.200,0.330）で囲まれる領域（領域I）が本発明で規定する1−x−y、x及びyの値が取り得る範囲であり、丸及び四角で示した点が、試料No.3、9及び19〜37の1−x−y、x及びyの値をプロットしたものである。本発明によるフェライト仮焼体の組成を黒塗り四角のプロットで示し、比較例によるフェライト仮焼体の組成を円形のプロットで示した。
【００８６】
図8は試料No.3、9及び19〜37のHcJとBrとの関係を示し、図中の点線はBr+HcJ/4＝535.5のラインであり、当該ラインより右上の領域がBr+HcJ/4＝535.5以上、左下の領域がBr+HcJ/4＝535.5以下であることを示す。図中、黒塗り四角のプロットが本発明によるフェライト焼結磁石、円形のプロットが比較例によるフェライト焼結磁石である。
【００８７】
表2、図7及び図8から，仮焼体における1−x−y、x及びyの値が、図7に示す三角座標において、座標a：（0.470,0.297,0.233）、座標b：（0.300,0.392,0.308）、座標c：（0.300,0.300,0.400）、座標d：（0.400,0.200,0.400）及び座標e：（0.470,0.200,0.330）で囲まれる領域（領域I）内に存在し、y'、z及びnが本発明の規定を満たすフェライト仮焼体を用いたフェライト焼結磁石（図中、黒塗り四角のプロット）は、全てBr+HcJ/4が535.5以上となっており、高いBrと高いHcJを両立した優れた磁石特性を有していることが分かる。
【００８８】
実施例3
金属元素の原子比率を示す組成式Ca1−x−yLax(Sry'Ba1−y')yFe2n−zCozにおいて、表3に示す組成となるように原料粉末を配合した以外は実施例1と同様にして焼結磁石を得た。得られた焼結磁石のBrとHcJの測定結果を表3及び図9及び図10に示す。表3において試料番号の横に*印を付したものは比較例である。
【００８９】
表3
2014034401.tif 000007
（注）*印を付したものは比較例である。
【００９０】
表3（続き）
2014034401.tif 000008
（注）*印を付したものは比較例である。
【００９１】
図9は試料3及び38〜44のフェライト焼結磁石の、仮焼体におけるy'とBr及びHcJとの関係を示したものである。これらの試料の仮焼体の（x,y,1-x-y）組成［（x,y,1-x-y）＝（0.385,0.340,0.275）］は、図1に示す（x,y,1-x-y）三角座標中に示した領域Iの範囲内にある。図中四角のプロットがBrを、三角のプロットがHcJを示す。また、図10は試料No.3及び38〜44のフェライト焼結磁石のHcJとBrとの関係を示し、図中の点線はBr+HcJ/4＝535.5のラインであり、当該ラインより右上の領域がBr+HcJ/4＝535.5以上、左下の領域がBr+HcJ/4＝535.5以下であることを示す。本発明によるフェライト焼結磁石を黒塗り四角のプロットで示し、比較例によるフェライト焼結磁石を円形のプロットで示した。
【００９２】
表3及び図9の通り、仮焼体におけるy'が0.412以下の場合HcJが低いが、0.5≦y'≦1で高いBrと高いHcJを両立したフェライト焼結磁石が得られることが分かる。この結果より、仮焼体におけるy’の値を0.5≦y'≦1に限定した。また、図10の通り、0.5≦y'≦1とした本発明によるフェライト焼結磁石（図中、黒塗り四角のプロット）は、全てBr+HcJ/4＝535.5以上となっており、高いBrと高いHcJを両立した優れた磁石特性を有していることが分かる。
【００９３】
実施例4
金属元素の原子比率を示す組成式Ca1-x-yLax(Sry'Ba1-y')yFe2n-zCozにおいて、表4に示す組成（zは「配合時」の欄に記載された値）となるように、CaCO3粉末、La(OH)3粉末、SrCO3粉末、BaCO3粉末、Fe2O3粉末及びCo3O4粉末を配合し、配合後の粉末の合計100質量%に対してH3BO3粉末を0.1質量%添加し混合原料粉末を準備した。なお、モル比nは、試料No.3及び45〜49（前添加法）は、配合時のnが5.4となるように、試料No.50〜54（後添加法）は、微粉砕時にCo3O4粉末を添加した時のnが5.4となるように（仮焼体とCo3O4粉末との混合体（焼結助剤を添加しない状態）におけるnが5.4となるように）した。ちなみに、試料No.50の配合時のnは5.38、試料No.51の配合時のnは5.355、試料No.52の配合時のnは5.33、試料No.53の配合時のnは5.305、試料No.54の配合時のnは5.28とした。前記混合原料粉末を湿式ボールミルで4時間混合し、乾燥して整粒した後、大気中において1250℃で3時間仮焼し、得られた仮焼体をハンマーミルで粗粉砕して粗粉砕粉を得た。
【００９４】
前記粗粉砕粉100質量％に対して、CaCO3粉末をCaO換算で0.7質量%、SiO2粉末を0.6質量%添加するとともに、Co3O4粉末を表4のz「微粉砕時」の欄に記載された値となるように添加し、水を分散媒とした湿式ボールミルで、空気透過法による平均粒度が0.6μmになるまで微粉砕した。得られた微粉砕スラリーを、分散媒を除去しながら加圧方向と磁界方向とが平行になるように約1.3 Tの磁界をかけながら約50 MPaの圧力で成形した。得られた成形体を大気中で、約1200℃で1時間焼成し、焼結磁石を得た。
【００９５】
得られた焼結磁石のBr、HcJ及びHk・HcJ-1（Hk/HcJ）の測定結果を表4及び図11〜図13に示す。表4において試料番号の横に*印を付したものは比較例である。図11はzとBr及びHcJとの関係を示し、四角のプロットがBrを、三角のプロットがHcJを示す。図12はzとHk/HcJとの関係を示す。なお、Hk/HcJにおいて、Hkは、J（磁化の大きさ）−H（磁界の強さ）曲線の第2象限において、Jが0.95Brの値になる位置のHの値である。
【００９６】
表4
2014034401.tif 000009
（注）*印を付したものは比較例である。
【００９７】
表4（続き）
2014034401.tif 000010
（注）*印を付したものは比較例である。
【００９８】
図13は試料No.3及び45〜54のHcJとBrとの関係を示し、図中の点線はBr+HcJ/4＝535.5のラインであり、当該ラインより右上の領域がBr+HcJ/4＝535.5以上、左下の領域がBr+HcJ/4＝535.5以下であることを示す。本発明によるフェライト焼結磁石を黒塗り四角のプロットで示し、比較例によるフェライト焼結磁石を円形のプロットで示した。
【００９９】
表4及び図11の通り、仮焼体におけるzの値が、0.2≦z＜0.25で高いBrと高いHcJを両立したフェライト焼結磁石が得られることが分かる。比較例である試料No.49（z＝0.25）でも高いBrと高いHcJが得られているが、表4及び図12の通りHk/HcJが大幅に低下しており、近年要望されているフェライト焼結磁石の薄型化への対応が困難となる。これらの結果より、仮焼体におけるzの値を0.2≦z＜0.25に限定した。
【０１００】
図13の通り、仮焼体におけるzの値を0.2≦z＜0.25とした本発明によるフェライト焼結磁石（図中、黒塗り四角のプロット）は、全てBr+HcJ/4＝535.5以上となっており、高いBrと高いHcJを両立した優れた磁石特性を有していることが分かる。さらに、Coは配合時に全量を添加した場合（前添加法）、あるいは配合時に一部添加するか又は全く添加せず、微粉砕時に残りの一部又は全量を添加した場合（後添加法）のいずれにおいても、高いBrと高いHcJが得られることが分かる。
【０１０１】
実施例5
金属元素の原子比率を示す組成式Ca0.275La0.385Sr0.340Fe10.56Co0.24となるように、CaCO3粉末、La(OH)3粉末、SrCO3粉末、BaCO3粉末、Fe2O3粉末及びCo3O4粉末を配合し、配合後の粉末の合計100質量%に対してH3BO3粉末を0.1質量%添加し混合原料粉末を準備した。前記混合原料粉末を湿式ボールミルで4時間混合し、乾燥して整粒した後、大気中において1250℃で3時間仮焼し、得られた仮焼体をハンマーミルで粗粉砕して粗粉砕粉を得た。
【０１０２】
前記粗粉砕粉100質量%に対して、表5に示す添加量のCaCO3粉末とSiO2粉末を添加した。なお、CaCO3粉末の添加量はCaO換算での値である。次に、水を分散媒とした湿式ボールミルで、空気透過法による平均粒度が0.6μmになるまで微粉砕した。得られた微粉砕スラリーを、分散媒を除去しながら加圧方向と磁界方向とが平行になるように約1.3 Tの磁界をかけながら約50 MPaの圧力で成形した。得られた成形体を大気中で、約1200℃で1時間焼成し、焼結磁石を得た。
【０１０３】
得られた焼結磁石のBr及びHcJの測定結果を表5及び図14に示す。表5において試料番号の横に*印を付したものは比較例である。図14は試料No.3及び55〜64のHcJとBrとの関係を示し、図中の点線はBr+HcJ/4＝535.5のラインであり、当該ラインより右上の領域がBr+HcJ/4＝535.5以上、左下の領域がBr+HcJ/4＝535.5以下であることを示す。本発明によるフェライト焼結磁石を黒塗り四角のプロットで示し、比較例によるフェライト焼結磁石を円形のプロットで示した。
【０１０４】
表5
2014034401.tif 000011
（注）*印を付したものは比較例である。
【０１０５】
表5及び図14の通り、CaCO3（CaO換算値）、SiO2ともに、幅広い範囲で高いBrと高いHcJが得られ、Br+HcJ/4＝535.5以上の優れた磁石特性を有するフェライト焼結磁石が得られることが分かる。ただし、CaCO3がCaO換算で2.1質量%以上、SiO2が1.5質量%以上になるとBrとHcJがともに低下し、近年要望されているフェライト焼結磁石の薄型化への対応が困難となる。
【０１０６】
実施例6
実施例1の試料No.3、実施例2の試料No.31及び32、実施例5の試料No.55、61及び63の各フェライト焼結磁石の成分分析を行い、金属元素の原子比率とモル比nに換算して表した結果を表6に示す。成分分析はICP発光分光分析装置（島津製作所製ICPV-1017）にて行った。なお、成分分析結果を金属元素の原子比率及びモル比に換算するに際して、SiO2はCaCo3、La(OH)3、SrCO3、Fe2O3、Co3O4の合計100質量%に対する含有比率（質量%）で表記した。
【０１０７】
表6
2014034401.tif 000012
（注）*印を付したものは比較例である。
【０１０８】
表6（続き）
2014034401.tif 000013
（注）*印を付したものは比較例である。
【０１０９】
本発明のフェライト焼結磁石は、1-x-y、x及びyの値が図2で示す領域IIに含まれるとともに、y'及びz、並びにモル比を表わすnが、0.5≦y'≦1、0.147≦z＜0.25及び3.88≦n＜5.6を満足していることが分かる。
【産業上の利用可能性】
【０１１０】
本発明によるフェライト焼結磁石は、各種モータ、発電機、スピーカ等の自動車用電装部品、電気機器用部品等に好適に利用することができ、特に、それら部品の小型・軽量化、高能率化に寄与できる。
【図３】
2014034401.tif 000014
【図４】
2014034401.tif 000015
【図５】
2014034401.tif 000016
【図６】
2014034401.tif 000017
【図８】
2014034401.tif 000018
【図９】
2014034401.tif 000019
【図１０】
2014034401.tif 000020
【図１１】
2014034401.tif 000021
【図１２】
2014034401.tif 000022
【図１３】
2014034401.tif 000023
【図１４】
2014034401.tif 000024
【図１】
2014034401.tif 000025
【図２】
2014034401.tif 000026
【図７】
2014034401.tif 000027
【国際調査報告】
2014034401.tif 000028
2014034401.tif 000029
2014034401.tif 000030
2014034401.tif 000031